(57)【特許請求の範囲】
【請求項１】
内部に流体の封止空間が形成された本体ケースと、
本体ケースで回転可能に支持されると共に、一端側の軸部を前記封止空間内に配置させたロータと、
前記軸部の外周面から前記本体ケースの内周面に向けて突出すると共に、前記ロータの回転により、前記ロータの回転中心軸周りの角度位置が変化するロータ側突出壁と、
前記封止空間内で前記本体ケースの内周面から前記軸部に当接する位置まで突出して、前記ロータの前記回転中心軸回りの周方向の回転可能範囲を規定するケース側突出壁と、を備えるダンパ装置において、
前記ダンパ装置が右回転用ダンパ装置である場合には、
前記ロータの他端側から見て、前記ケース側突出壁の周方向における右側を前記ロータ側突出壁の初期位置とし、前記本体ケースの内周面により規定される前記封止空間の外径は、前記ケース側突出壁の近傍が大径で前記ロータ側突出壁と前記本体ケースの内周面との間に隙間が形成され、前記初期位置から周方向右に向かうにつれて小径とされて、前記ロータ側突出壁が前記本体ケースの内周面に圧入状態となるようにされ、
前記ダンパ装置が左回転用ダンパ装置である場合には、
前記ケース側突出壁の周方向における左側を前記ロータ側突出壁の初期位置とし、前記封止空間の前記外径は、前記ケース側突出壁の近傍が大径で前記ロータ側突出壁と前記本体ケースの内周面との間に隙間が形成され、前記初期位置から周方向左に向かうにつれて小径とされて、前記ロータ側突出壁が前記本体ケースの内周面に圧入状態となるようにされ、
前記ロータの前記軸部の外周面において、前記ロータが前記ロータ側突出壁と前記本体ケースの内周面との間に隙間が形成される角度位置にあるときに前記ケース側突出壁に対向する位置に、前記ケース側突出壁との当接を避ける逃げ部を設けると共に、
前記軸部の断面形状を、回転中心軸を通り、当該回転中心軸から見て隣接する前記ロータ側突出壁の角度範囲を二等分する直線を挟んで対称に形成して、
前記ダンパ装置が右回転用ダンパ装置と左回転用ダンパ装置の何れの場合でも、前記ロータを、前記ロータ側突出壁と前記本体ケースの内周面との間に隙間が存在する角度位置で前記本体ケースに組み付けたときに、かかる角度位置で、前記ケース側突出壁と前記軸部との間に隙間が存在するようにしたことを特徴とするダンパ装置。
【請求項２】
前記ロータは、前記本体ケースの外部で制御部材と連結される連結部を備え、該連結部は前記軸部と一体に構成されることを特徴とする請求項１に記載のダンパ装置。
【請求項３】
前記本体ケースは底部を有する筒状であり、前記底部には、前記ロータ側突出壁が前記初期位置にあるときに、前記ロータ側突出壁の周方向両側に跨る凹溝を備えることを特徴とする請求項１または請求項２に記載のダンパ装置。
【請求項４】
前記本体ケースおよび前記ロータは、樹脂材料から構成されることを特徴とする請求項１から請求項３の何れか一項に記載のダンパ装置。
【請求項５】
前記ロータ側突出壁は、前記回転中心軸の軸方向から見て、前記回転中心軸を通る直線上で、当該直線を挟んで対象となる形状で形成されており、
前記ロータ側突出壁には、前記回転中心軸周りの周方向で前記ロータ側突出壁を挟んで一方側の封止空間と、他方側の封止空間とを連通させる開口が設けられており、
前記ロータ側突出壁には、当該ロータ側突出壁の前記周方向における一方側の面に当接して前記開口を塞ぐ弁体が、前記周方向に移動可能に取り付けられていることを特徴とする請求項１から請求項４の何れか一項に記載のダンパ装置。
【請求項６】
前記ロータの前記回転中心軸周りの回転可能範囲は、前記ロータに接続される制御部材の前記回転中心軸周りの回転可能範囲よりも広く設定されており、
前記逃げ部は、前記軸部の外周面において、前記ロータの角度位置が前記制御部材の回転可能範囲外にあるときに前記ケース側突出壁に対向する位置に設けられていることを特徴とする請求項１から請求項５の何れか一項に記載のダンパ装置。
【請求項７】
前記封止空間の前記外径は、前記ロータの回転可能範囲における一方側で狭くなるように設定されており、
前記逃げ部は、前記軸部の外周面において、前記ロータの角度位置が前記回転可能範囲の他方から前記一方側の前記ケース側突出壁が前記内周面を摺動する手前に達するまでに、前記ケース側突出壁が対向する範囲内に設けられていることを特徴とする請求項１から５の何れか一項に記載のダンパ装置。
【発明の詳細な説明】
【技術分野】
【０００１】
本発明は、腰掛便器の便座や便蓋の回転軸に取り付けられて、便座や便蓋の開閉速度を調整するダンパ装置に関するものである。
【背景技術】
【０００２】
腰掛便器の便座や便蓋の回転軸に取り付けられて、便座や便蓋の開閉速度を調整するダンパ装置には、ロータが時計回り方向に回転するときにダンパ効果を発揮するダンパ装置（右回転用ダンパ）と、ロータが反時計周り方向に回転するときにダンパ効果を発揮するダンパ装置（左回転用ダンパ）とがある。
【０００３】
特許文献１には、内部に流体が封止される封止空間が形成される有底筒形状のケースと、ケースに対して相対回転可能に設けられて、ケース内で封止空間に配置される小径の軸部を備えたロータと、ケースの一端側開口を塞ぐと共にロータを回転可能に支持するキャップとを備えるダンパ装置が開示されている。
【先行技術文献】
【特許文献】
【０００４】
【特許文献１】特開平１０−３１８３１９号公報
【０００５】
この従来例にかかるダンパ装置では、ロータの軸部に外挿して取り付けられて封止空間内に配置される筒状部材を備え、筒状部材をロータの軸部に取り付ける向きを変えることで、ロータが時計回り方向に回転するときにダンパ効果を発揮させるのか、反時計回り方向に回転するときにダンパ効果を発揮させるのかを決めることができる。
そのため、右回転用ダンパ装置と左回転用のダンパ装置の何れにも、共通のロータを利用できるようになっている。
【発明の概要】
【発明が解決しようとする課題】
【０００６】
しかし、特許文献１のダンパ装置の場合、筒状部材をロータとは別に設けているので、部品点数の増加により部品コストが高くなる。さらに、筒状部材をロータに組み付ける工程が必要となるため、ダンパ装置の組み立てが複雑化して作業コストが増大してしまう。
そのため、部品点数の増加がなく、部品同士の組付けが容易なダンパ装置が求められている。
【課題を解決するための手段】
【０００７】
本発明は、内部に流体の封止空間が形成された本体ケースと、本体ケースで回転可能に支持されると共に、一端側の軸部を前記封止空間内に配置させたロータと、前記軸部の外周面から前記本体ケースの内周面に向けて突出すると共に、前記ロータの回転により、前記ロータの回転中心軸周りの角度位置が変化するロータ側突出壁と、前記封止空間内で前記本体ケースの内周面から前記軸部に当接する位置まで突出して、前記ロータの前記回転中心軸回りの周方向の回転可能範囲を規定するケース側突出壁と、を備えるダンパ装置において、
前記ダンパ装置が右回転用ダンパ装置である場合には、
前記ロータの他端側から見て、前記ケース側突出壁の周方向における右側を前記ロータ側突出壁の初期位置とし、前記本体ケースの内周面により規定される前記封止空間の外径は、前記ケース側突出壁の近傍が大径で前記ロータ側突出壁と前記本体ケースの内周面との間に隙間が形成され、前記初期位置から周方向右に向かうにつれて小径とされて、前記ロータ側突出壁が前記本体ケースの内周面に圧入状態となるようにされ、
前記ダンパ装置が左回転用ダンパ装置である場合には、
前記側突出壁の周方向における左側を前記ロータ側突出壁の初期位置とし、前記封止空間の前記外径は、前記ケース側突出壁の近傍が大径で前記ロータ側突出壁と前記本体ケースの内周面との間に隙間が形成され、前記初期位置から周方向左に向かうにつれて小径とされて、前記ロータ側突出壁が前記本体ケースの内周面に圧入状態となるようにされ、
前記ロータの前記軸部の外周面において、前記ロータが前記ロータ側突出壁と前記本体ケースの内周面との間に隙間が形成される角度位置にあるときに前記ケース側突出壁に対向する位置に、前記ケース側突出壁との当接を避ける逃げ部を設けると共に、
前記軸部の断面形状を、回転中心軸を通り、当該回転中心軸から見て隣接する前記ロータ側突出壁の角度範囲を二等分する直線を挟んで対称に形成して、
前記ダンパ装置が右回転用ダンパ装置と左回転用ダンパ装置の何れの場合でも、前記ロータを、前記ロータ側突出壁と前記本体ケースの内周面との間に隙間が存在する角度位置で前記本体ケースに組み付けたときに、かかる角度位置で、前記ケース側突出壁と前記軸部との間に隙間が存在するようにしたことを特徴とするダンパ装置とした。
【０００８】
ロータの軸部を線対称としたため、右回転用と左回転用の何れのダンパ装置であっても、すなわちダンパ効果が発生する方向がどちらであっても、ロータを共通に使用できる。
このように構成すると、ダンパ効果を発揮させるための部品を別途用意する必要がないので、部品点数の増加によるコストの上昇を防止できる。さらに、部品点数が増加しないので、組付けが複雑になることがない。
さらに、ロータ側突出壁と本体ケースの内周面、そしてケース側突出壁と軸部とが互いに接していない角度位置で、ロータを本体ケースに容易に組み付けることができる。
【０００９】
前記ロータは、前記本体ケースの外部で制御部材と連結される連結部を備え、前記連結部は前記軸部と一体に構成されるものとした。
【００１０】
このように構成すると、軸部に連結部を連結させるための凹部を設ける必要がない。従来例のように軸部の内部に凹部を設けると軸部は凹部より太くする必要があるが、本発明に係るダンパ装置では、連結部と軸部と一体に構成したため、軸部を細くすることができる。また、軸部を細くすることでダンパ装置のサイズ（外径）を小さくすることができる。
【００１１】
前記本体ケースは底部を有する筒状であり、前記底部には、前記ロータ側突出壁が前記初期位置にあるときに、前記ロータ側突出壁の周方向両側に跨る凹溝を備える構成とした。
【００１２】
このように構成すると、ロータ側突出壁が初期位置にある場合、封止空間内に充填された液体は、ロータ側突出壁と本体ケースの内周面との間に設ける隙間と凹溝を通って、ロータ側突出壁を挟んで両側に位置する封止空間を行き来することができる。
このため、ロータ側突出壁と本体ケースの内周面との間に設ける隙間を小さくすることで本体ケースの厚みを薄くすることなく、初期位置でのダンパ効果を小さくすることができる。
【００１３】
前記本体ケースおよび前記ロータは、樹脂材料から構成される構成とした。
【００１４】
このように構成すると、本体ケースおよびロータの部品生産が容易になる。
本発明に係るダンパ装置では、ロータの角度位置が所定範囲であるときに、ケース側突出壁とロータの軸部、そしてロータ側突出壁と本体ケースの内周面とが互いに、所定の圧入しろを持って組み付けられた状態となる。
そのため、ダンパ装置の作動により封止空間内の圧力が高くなって本体ケースやロータに変形が生じた場合でも、圧しろの分だけ余裕があるので、ロータが、ケース側突出壁と軸部、そしてロータ側突出壁と本体ケースの内周面が互いに接する所定範囲にあるときに、これらの部品の間に大きな隙間が形成されることを防止できる。
よって、本体ケースとロータを樹脂材料で構成したことで、これらに多少の変形が生じたとしても、ダンパ効果が損なわれることがない。
【００１５】
前記ロータ側突出壁は、前記回転中心軸の軸方向から見て、前記回転中心軸を通る直線上で、当該直線を挟んで対象となる形状で形成されており、
前記ロータ側突出壁には、前記回転中心軸周りの周方向で前記ロータ側突出壁を挟んで一方側の封止空間と、他方側の封止空間とを連通させる開口が設けられており、
前記ロータ側突出壁には、当該ロータ側突出壁の前記周方向における一方側の面に当接して前記開口を塞ぐ弁体が、前記周方向に移動可能に取り付けられている構成とした。
【００１６】
このように構成すると、ロータ側突出壁は、回転中心軸周りの周方向における一方側と他方側とで同じ形状であるので、弁体をロータ側突出壁に取り付ける向きを変更するだけで、弁体が、回転中心軸周りの周方向における一方側と他方側の何れから開口を塞ぐのかを決めることができる。
これにより、弁体をロータ側突出壁に取り付ける向きで、ロータが回転中心軸周りの時計回り方向（右回り方向）に回転するときに開口が塞がれるようにすることも、反時計回り方向（左回り方向）に回転させるときに開口が塞がれるようにすることもできる。よって、ロータが時計回り方向に回転するときにダンパ効果を発揮するダンパ装置と、反時計回り方向に回転するときにダンパ効果を発揮するダンパ装置の何れにも、共通して利用できるロータおよび弁体となる。
【００１７】
前記ロータの前記回転中心軸周りの回転可能範囲は、前記ロータに接続される制御部材の前記回転中心軸周りの回転可能範囲よりも広く設定されており、
前記逃げ部は、前記軸部の外周面において、前記ロータの角度位置が前記制御部材の回転可能範囲外にあるときに前記ケース側突出壁に対向する位置に設けられている構成とした。
【００１８】
このように構成すると、突壁部と軸部の外周との間に隙間が生ずる位置が、制御部材の回転可能範囲外であるので、逃げ部を設けても、制御部材が回転するときにダンパ装置により付与されるダンパ効果が影響されない。
そのため、ダンパ効果により制御部材の回転に必要となるトルクの大きさの設計の自由度が高くなる。
【００１９】
前記封止空間の前記外径は、前記ロータの回転可能範囲における一方側で狭くなるように設定されており、
前記逃げ部は、前記軸部の外周面において、前記ロータの角度位置が前記回転可能範囲の他方から前記一方側の前記ケース側突出壁が前記内周面を摺動する手前に達するまでに、前記ケース側突出壁が対向する範囲内に設けられている構成とした。
【００２０】
このように構成すると、制御部材の回転可能範囲をロータの回転可能範囲まで大きくすることができる。
【発明の効果】
【００２１】
本発明によれば、ロータを、右回転用のダンパ装置と左回転用のダンパ装置の何れにも共通して使用できる使用できるようにするために、別部材を必要としない。
よって、部品点数を増加させることなく、組付けが複雑になることがない。
【図面の簡単な説明】
【００２２】
【図１】実施の形態にかかるダンパ装置の分解斜視図である。
【図２】実施の形態にかかるダンパ装置の断面図である。
【図３】実施の形態にかかるダンパ装置を説明する図である。
【図４】実施の形態にかかるダンパ装置の断面図である。
【図５】実施の形態にかかるダンパ装置の主要部を説明する図である。
【図６】実施の形態にかかるダンパ装置の動作範囲と、トルクとの関係を説明する図である。
【図７】実施の形態にかかるダンパ装置の動作説明図である。
【図８】実施の形態にかかるダンパ装置におけるロータの組込位置を説明する図である。
【図９】実施の形態にかかるダンパ装置におけるロータの組込位置を説明する図である。
【図１０】第２の実施形態にかかるダンパ装置の断面図である。
【図１１】第２の実施形態にかかるダンパ装置の動作範囲と、トルクとの関係を説明する図である。
【図１２】第２の実施形態にかかるダンパ装置の動作説明図である。
【図１３】第２の実施形態にかかるダンパ装置の変形例を説明する断面図である。
【発明を実施するための形態】
【００２３】
本発明にかかるダンパ装置の第１の実施形態を説明する。
図１に示すダンパ装置１は、キャップ４側から見て、ロータ３が図中時計回り方向に回転する際にダンパ効果を発揮するようにされたダンパ装置であり、右回転用の本体ケース２を備える。
ダンパ装置１は、チェックバルブ６、６が取り付けられたロータ３を、本体ケース２に組み付けたのち、ワッシャ５を介在させて、キャップ４を本体ケース２に組み付けて形成される。
【００２４】
図２に示すように、本体ケース２の本体部２１は、有底円筒形状を有している。
本体部２１の内側は、本体ケース２とロータ３とキャップ４とを組み付けた際に、内部にオイル（流体）が封止される封止空間Ｓとされる。
【００２５】
底部２２の中央部には、凹形状の軸受部２３が形成されている。軸受部２３は、底部２２において封止空間Ｓから離れる方向に突出しており、後記するロータ３の突出部３３１が、この軸受部２３で回転可能に支持される。
【００２６】
底部２２よりもキャップ４側に位置する本体部２１の内周面２１１は、回転中心軸Ｘに沿って平行に延びており、封止空間Ｓの外周（外径）を規定している。
内周面２１１のキャップ４側に隣接する拡径部２１２は、内周面２１１よりも大きい径で形成されており、後記するロータ３のフランジ部３２が内嵌している。
【００２７】
図１から図３に示すように、本体部２１の外周面２１ａには、回転中心軸Ｘに沿って延びるリブ２４が、回転中心軸Ｘ周りの周方向で、３つ設けられている。
リブ２４は、本体部２１の外周面２１ａを、その長手方向（回転中心軸Ｘの軸方向）に沿って設けられている。この３つのリブ２４のうちの２つが、回転中心軸Ｘからみて一方側（図３では下側）に位置しており、ダンパ装置１を取り付けるときの上下方向の向きが、リブ２４の位置関係で判るようになっている。
【００２８】
図３に示すように、本体部２１の内周面２１１（２１１ａ、２１１ｂ）には、径方向内側（回転中心軸Ｘ側）に突出する突出壁２５が設けられている。突出壁２５は、回転中心軸Ｘの軸方向に沿って、内周面２１１の全長に亘って設けられている。
突出壁２５、２５は、回転中心軸周りの周方向で、１８０°間隔（等間隔）で２つ設けられている。突出壁２５は、径方向内側（回転中心軸Ｘ側）に向かうにつれて回転中心軸Ｘ周りの周方向の厚みが薄くなるように、回転中心軸Ｘを通る直線Ｌｍに沿って設けられている。
この突出壁２５、２５は、回転中心軸Ｘの径方向から見ると、直線Ｌｍを挟んで対象となる形状（周方向厚み）を有している。
【００２９】
図４の（ａ）に示すように、突出壁２５の先端２５ａは、後記するロータ３の軸部３３の外周面３３ａが描く仮想円Ｉｍ１よりも僅かに径方向内側（回転中心軸Ｘ側）に位置している。
そのため、ダンパ装置１が組み付けられた状態において、後記するロータ３の軸部３３が突出壁２５、２５の間に軽圧入された状態となる。よって、ロータ３が回転する際には、突出壁２５の先端２５ａが軸部３３の外周面３３ａを摺動する。
【００３０】
図２に示すように、ロータ３では、制御部材としての便座や便蓋の回転軸（図示せず）に連結される連結部３１と、本体ケース２の拡径部２１２の内周面に全周に亘って当接するフランジ部３２と、本体ケース２内の封止空間Ｓ内に配置される軸部３３と、が軸方向に沿って設けられている。なお、連結部３１は軸部３３よりも大きな径となっている。
【００３１】
ロータ３の連結部３１は、本体ケース２に組み付けられたキャップ４の貫通穴４１を貫通しており、先端側の二面幅部３１ａが、本体ケース２の外部に位置している。
連結部３１の二面幅部３１ａは、連結部３１の先端側において、ロータ３の回転中心軸Ｘを挟んで対称となる位置に、互いに平行となるように形成されている。
連結部３１は、この二面幅部３１ａにより、便座や便蓋の回転軸（図示せず）に回り止め嵌合される。
【００３２】
連結部３１のフランジ部３２側は、キャップ４の貫通穴４１で回転可能に支持された被支持部３１ｂとなっている。
この被支持部３１ｂの外周面であって、キャップ４の径方向内側に位置する部分には、凹溝３８が設けられている。凹溝３８は、回転中心軸Ｘ周りの周方向で、被支持部３１ｂの全周に亘って設けられている。
この凹溝３８には、Ｏリング７が外嵌して取り付けられており、本体ケース２内に充填されるオイルが、キャップ４と連結部３１との隙間から外部に漏出することを防止している。
【００３３】
フランジ部３２は、連結部３１と軸部３３との間に位置しており、回転中心軸Ｘ周りの周方向の全周に亘って径方向外側に延出している。このフランジ部３２は、その外周面３２ａを、本体ケース２の開口側の拡径部２１２に全周に亘って嵌合させている。
【００３４】
実施の形態では、ロータ３のフランジ部３２を本体ケース２に内嵌させたのち、ステンレス製のワッシャ５をフランジ部３２との間に介在させて、キャップ４を本体ケース２の一端側開口２１３に嵌合させると、本体ケース２内にオイルが充填される封止空間Ｓを備えるダンパ装置が形成される。
この際、キャップ４は、超音波溶着されながら本体ケース２に押し込まれるようになっている。これにより、封止空間Ｓ内のオイルが、本体ケース２とキャップ４との隙間から、ダンパ装置１の外部に漏出することを防止している。
この状態においてロータ３の軸部３３は、封止空間Ｓ内に位置すると共に、その突出部３３１が、本体ケース２の断面凹形状の軸受部２３で回転可能に支持されている。
【００３５】
図２および図３に示すように、軸部３３の外周面には、径方向外側に突出する壁部３４が設けられている。壁部３４は、回転中心軸Ｘに沿って軸部３３の長手方向の全長に亘って設けられている。
壁部３４は、回転中心軸Ｘ周りの周方向で、１８０°間隔（等間隔）で２つ設けられている。壁部３４は、先端側（本体部２１の内周面２１１側）に向かうにつれて、回転中心軸Ｘ周りの周方向の幅が狭くなるように、回転中心軸Ｘを通る直線Ｌｎに沿って形成されている。この壁部３４は、回転中心軸Ｘ周りの周方向で直線Ｌｎを挟んで対象となる形状を有している。
【００３６】
図４に示すように、壁部３４は、本体ケース２の内周面２１１ｂに軽圧入される高さｈを有している。
実施の形態のダンパ装置１では、本体部２１内に形成される封止空間Ｓは、突出壁２５、２５により、２つの封止空間Ｓ１、Ｓ２に区画され、これらの封止空間Ｓ１、Ｓ２は、それぞれ壁部３４によりさらに２つの空間Ｓ１ａ、Ｓ１ｂ、Ｓ２ａ、Ｓ２ｂに区画されている。
そして、ロータ３（軸部）の回転により突出壁２５の回転中心軸Ｘ周りの角度位置が変化すると、空間Ｓ１ａおよびＳ１ｂと、空間Ｓ２ａおよびＳ２ｂの容積が変化するようになっている。
この際、突出壁２５の回転中心軸Ｘ回りの角度位置は変化しないので、ロータ３が回転しても、封止空間Ｓ１、Ｓ２の容積は変化しない。一方、ロータ３の壁部３４の回転中心軸Ｘ回りの角度位置は変化するので、空間Ｓ１ａ、Ｓ２ａの容積が大きくなると、これに伴って空間Ｓ１ｂ、Ｓ２ｂの容積が小さくなり、空間Ｓ１ａ、Ｓ２ａの容積が小さくなると、これに伴って空間Ｓ１ｂ、Ｓ２ｂの容積が大きくなる。
【００３７】
図２および図５に示すように、回転中心軸Ｘに沿って設けられた壁部３４では、長手方向の略中間となる位置に、凹形状のオリフィス３５が形成されている。
このオリフィス３５の両側は、後記するチェックバルブ６の腕部６２が係合して取り付けられる係合部３６、３６となっている。
【００３８】
係合部３６、３６の本体ケース２側の端部３６ａ、３６ａには、オリフィス３５から離れる方向に突出して突部３７が設けられている。
突部３７、３７は、図５の（ｂ）に示すように、回転中心軸Ｘ周りの周方向で、係合部３６、３６の全長に亘って設けられており、後記するチェックバルブ６が係合部３６、３６から外れることを防止するために設けられている。
【００３９】
チェックバルブ６は、オリフィス３５を通って隣接する２つの空間Ｓ１ａおよびＳ１ｂ、Ｓ２ａおよびＳ２ｂの間を移動するオイルの移動速度を調整する（図４の（ｂ）参照）。
【００４０】
図５に示すように、チェックバルブ６は、回転中心軸Ｘ周りの周方向から壁部３４に当接してオリフィス３５を閉鎖可能な板状の弁部６１と、回転中心軸Ｘの軸方向で、弁部６１の両端部から弁部６１に対して直交する方向に突出する腕部６２と、腕部６２の先端から互いに対向する方向に延出形成された延出部６２ａと、腕部６２、６２から延びる板状の係止部６３と、を備える。
【００４１】
弁部６１と延出部６２ａとは所定距離Ｄ１離間しており、チェックバルブ６は、平面視において略Ｃ字形状を有している。この離間距離Ｄ１は、壁部３４の係合部３６の回転中心軸Ｘ周りの周方向の幅Ｄ（図５の（ｂ）参照）よりも大きくなっている。
そのため、チェックバルブ６は、係合部３６に取り付けられた状態で、回転中心軸Ｘ周りの周方向に移動可能となっている。
【００４２】
図５の（ｃ）から（ｅ）に示すように、腕部６２の壁部３４に載置される側の面（回転中心軸Ｘ側の下面）には、係止部６３が設けられている。
係止部６３は、延出部６２ａの延出方向と同じ方向に腕部６２から延びており、弁部６１と腕部６２と延出部６２ａとに跨るように形成されている。
係止部６３、６３は、壁部３４に取り付けられたチェックバルブ６が径方向外側に移動した際に、係合部３６、３６の突部３７、３７に当接して、チェックバルブ６の壁部３４からの脱落が防止されるようになっている（図２参照）。
【００４３】
本体ケース２の説明に戻って、図３に示すように、本体ケース２において、底部２２の封止空間Ｓ側の面には、回転中心軸Ｘの軸方向から見て、長穴形状の凹溝２２ａが形成されている。
凹溝２２ａは、回転中心軸Ｘを通る仮想線Ｌ０を挟んで対称となる位置に設けられており、この仮想線Ｌ０に対して平行であって、仮想線Ｌ０からの距離が同じ位置にある仮想線Ｌ１、Ｌ２に沿って同じ長さＷで形成されている。つまり、回転中心軸Ｘの軸方向から見て回転中心軸Ｘを回転中心とする点対称となっている。
凹溝２２ａは、突出壁２５の近傍であって、ダンパ装置１のロータ３が、便座や便蓋を全開にする位置まで回転した際に、後記するロータ３の壁部３４が位置する側に設けられている。
凹溝２２ａは、便座や便蓋を全開にする位置側において、空間Ｓ１ａと空間Ｓ１ｂおよび空間Ｓ２ａとＳ２ｂを連通させることで、ロータ３（便座や便蓋）を回転させるのに必要なトルクを小さくするために設けられている。
【００４４】
図６は、ダンパ装置１におけるロータ３の角度位置と、ロータ３を回転させるのに必要なトルクと、本体ケース２の内周面２１１とロータ３の壁部３４との間の隙間Ａと、ロータ３の軸部３３と本体ケース２の突出壁２５との間の隙間Ｂとの関係を説明する図である。
なお、この図６において、隙間Ａがゼロよりも小さい範囲では、ロータ３の壁部３４が本体ケース２の内周面２１１に圧入された状態であり、隙間Ｂがゼロよりも小さい範囲では、本体ケース２の突出壁２５がロータ３の軸部３３に圧入された状態であることを示している。
図７は、ダンパ装置１の動作説明図である。
【００４５】
実施の形態のダンパ装置１は、腰掛便器の便座や便蓋の回転軸に取り付けられて使用される。
その際にロータ３が回転可能な範囲（取付時のロータ回転可能範囲）は、図６に示すように、便座や便蓋が自立した状態となる角度位置（１１０°、図７の（ａ）の開位置参照）から、便座や便蓋で便器の開口部を閉じる角度位置（０°、図７の（ｄ）の閉位置参照）までの範囲である。
【００４６】
図４の（ａ）に示すように、本体部２１の内周面２１１のうち、回転中心軸Ｘから、凹溝２２ａが設けられている側の内周面２１１ａまでの距離ｒ１は、凹部が設けられていない側の内周面２１１ｂまでの距離ｒ２よりも、長くなっている。
ここで、内周面２１１ａは、回転中心軸Ｘを中心とした仮想円Ｉｍ４上に位置し、内周面２１１ｂは、仮想円Ｉｍ４よりも径が小さい仮想円Ｉｍ３上に位置している。そのため、封止空間Ｓが形成される内周面２１１の内径が、回転中心軸Ｘ周りの一方側と他方側とで異なっている。
【００４７】
よって、実施の形態では、本体部２１の内周面２１１のうち、便座や便蓋が開位置になるときにロータ３の壁部３４が位置する側の所定範囲（内周面２１１ａの範囲）において、壁部３４の先端３４ａと内周面２１１ａとの間に隙間が形成され、便座や便蓋が閉位置になるときにロータ３の壁部３４が位置する側の所定範囲（内周面２１１ｂ）において、壁部３４の先端３４ａと内周面２１１ｂとの間に隙間が形成されないようになっている。
【００４８】
そして、便座や便蓋が自立位置となる角度位置（θ＝９０°）よりも閉位置側（θ＜９０°）において、内周面２１１ａと内周面２１１ｂとを接続するように、内径（回転中心軸Ｘからの距離）が周方向に沿って変化しており、この内径が変化している範囲では、壁部３４の先端３４ａと内周面２１１ａとの間の隙間も変化するようになっている。
【００４９】
そのため、ロータ３が図７の（ａ）に示す開位置から時計回り方向に回転すると、壁部３４の先端３４ａと内周面２１１ｂとの間の隙間は、自立位置（θ＝９０°、図７の（ｂ）参照）を超えたのち、おおよそ８０°から６０°になるまでの範囲で徐々に狭くなる（図６参照）。また、壁部３４が空間Ｓ１ｂ、Ｓ２ｂの容積を小さくする方向に移動するため、空間Ｓ１ｂ、Ｓ２ｂの圧力がＳ１ａ、Ｓ２ａより高くなり、チェックバルブ６の弁部６１が壁部３４に当接してオリフィス３５を閉鎖する。
そして、角度位置が開度θ＝６０°（図７の（ｃ）参照）よりも小さくなると、隙間がゼロよりも小さくなって、ロータ３の壁部３４が本体ケース２の内周面２１１に圧入された状態になる。つまり、壁部３４の先端３４ａと内周面２１１ｂとの間をオイルが連通できなくなる。
これにより、便座や便蓋が閉状態となる角度（θ＝０°）からおおよそ６０°までの範囲で、ロータ３が回転する際に、壁部３４（チェックバルブ６）の外周が本体部２１の内周面２１１ｂを摺動することになり、かかる範囲において、空間Ｓ１ｂおよびＳ２ｂから空間Ｓ１ａ、Ｓ２ａを連通可能なオイルの流路は、壁部３４と底部２２および壁部３４とフランジ部３２の間などに構成される微小な隙間のみとなる。このため、オイルが大きな流体抵抗を受けながらこの微小の隙間を流れることでダンパ効果が発揮される。また、摺動に起因するダンパ効果も発揮される。
なお、ロータ３が反時計回り方向に回転すると、壁部３４が空間Ｓ１ａ、Ｓ２ａの容積を小さくする方向に移動するため、空間Ｓ１ａ、Ｓ２ａの圧力がＳ１ｂ、Ｓｂａより高くなり、チェックバルブ６の弁部６１が壁部３４から離間してオリフィス３５を開放する。このため、オイルはこのオリフィス３５を通って空間Ｓ１ａおよびＳ２ａから空間Ｓ１ｂおよびＳｂａ流れることができ、ダンパ効果が小さくなる。
【００５０】
ここで、図６に示すように、ダンパ装置１が便座や便蓋の回転軸に取り付けられていないときのロータ３の回転可能範囲は、−１０°から１２０°となっており、便座や便蓋の回転軸の回転可能範囲（取付時のロータ回転可能範囲）よりも広くなっている。
【００５１】
そのため、ロータ３（軸部３３）は、開位置側では、開位置よりもさらに反時計回り方向に回転して、閉位置からの回転角度が１２０°になるまで回転でき、閉位置側では、閉位置よりもさらに時計回り方向に回転して、閉位置からの回転角度が−１０°になるまで回転できるようになっている。
【００５２】
実施の形態のダンパ装置１の軸部３３では、ロータ３の角度位置が、腰掛便器に用いられているときの開位置側の回転可能範囲外にあるときに突出壁２５と接することになる範囲に、突出壁２５との接触を避けるための凹部３９ｂが設けられている（図８参照）。
ここで、本体部２１において突出壁２５は、回転中心軸Ｘ回りの周方向で１８０°間隔で設けられている。そのため、軸部３３においても、回転中心軸Ｘ回りの周方向で１８０°間隔で、回転中心軸Ｘを挟んで対称となる位置に凹部３９ｂが設けられている。
そして、凹部３９ｂの回転中心軸Ｘ周りの周方向の幅は、突出壁２５の先端２５ａの周方向の幅よりも狭くなっている。
【００５３】
さらに軸部３３において突出壁２５を挟んで対称となる位置にも、凹部３９ｂと同一形状の凹部３９ａが設けられている。
実施の形態のダンパ装置１では、右回転用の本体ケース２とは別に、左回転用の本体ケース２Ａが用意されており、本体ケースを交換するだけで、他の部品（ロータ３、チェックバルブ６、キャップ４など）をそのまま使用して、ロータ３が反時計回り方向に回転する際にダンパ効果を発揮するダンパ装置に変更できるようになっている。
【００５４】
そのため、凹部３９ａは、後記する回転用の本体ケース２Ａにロータ３を挿入する際に、ロータ３の角度位置が本体ケース２Ａにおける開位置側の回転可能範囲外にあるときに、突出壁２５と接することになる範囲に設けられている。
【００５５】
このように、凹部３９（３９ａ、３９ｂ）は、回転中心軸Ｘ周りに合計４つ設けられており、これらは、回転中心軸Ｘを挟んで対称（３９ａと３９ａおよび３９ｂと３９ｂが周方向で等間隔）となる位置に設けられている。
そのため、ロータ３の軸部３３の軸方向から見た断面形状は、回転中心軸と壁部３４の幅方向の中央を通る直線Ｌｎに直交すると共に回転中心軸Ｘを通る仮想線Ｌ０（図３参照）を挟んで線対称の形状を有している。
【００５６】
右回転用の本体ケース２の場合の説明に戻って、図８に示すように、ロータ３（軸部３３）の角度位置が、便座や便蓋の開位置側の回転可能範囲外になると、突出壁２５と軸部３３の凹部３９ｂとの回転中心軸Ｘ周りの角度位置が一致するので、突出壁２５の先端２５ａと、軸部３３の外周面３３ａとの間に、凹部３９ｂに起因する隙間が確保される。
さらに、この状態において、壁部３４（チェックバルブ６）の外周と、本体部２１の内周面２２１ａとの間に隙間が確保される。
【００５７】
よって、ロータ３を本体ケース２に組み付ける場合には、図８に示すように、本体ケース２の突出壁２５とロータ３の凹部３９ｂとが、回転中心軸Ｘの軸方向から見て、開位置側で同じ角度位置となるようにして、ロータ３を本体ケース２に組み付けることで、ロータ３を本体ケース２に簡単に組み付けることができる。かかる角度位置が、図６におけるロータ組込位置となる。
【００５８】
そして、この凹部３９ｂの位置は、便座や便蓋の回転可能範囲外であるので、軸部３３に凹部３９ｂを設けて、突出壁２５の先端２５ａと軸部３３の外周面３３ａとの間に隙間が形成されるようにしても、ダンパ装置１が発揮するダンパ効果に影響が及ぶことがないようにされている。
【００５９】
図９は、本体ケースが、左回転用の本体ケース２Ａである場合のダンパ装置の断面図であり、ロータ３（軸部３３）の角度位置が、便座や便蓋の回転可能範囲外（ロータ組込位置）である場合を説明する図である。
【００６０】
前記したように、ロータ３の壁部３４は、ロータ３の壁部３４を回転中心軸Ｘの径方向から見ると、回転中心軸Ｘを通る直線Ｌｎ挟んで対称となる形状で形成されている。
よって、ロータ３は、チェックバルブ６を取り付ける向きを変えるだけで、ロータ３が右回転するときにチェックバルブ６によってオリフィス３５を閉鎖してダンパ効果が発揮されるようにすることも、左回転するときにチェックバルブ６によってオリフィス３５を閉鎖してダンパ効果が発揮されるようにすることもできる。
【００６１】
前記したように、実施の形態のダンパ装置１では、右回転用の本体ケース２とは別に、左回転用の本体ケース２Ａが用意されており、本体ケースを交換するだけで、他の部品（ロータ３、チェックバルブ６、キャップ４など）をそのまま使用して、ロータ３が反時計回り方向に回転する際にダンパ効果を発揮するダンパ装置に変更できるようになっている。
【００６２】
図９に示すように、左回転用の本体ケース２Ａの外周面には、回転中心軸に沿って延びるリブ２４Ａが、回転中心軸Ｘ周りの周方向で４つ設けられている。
この左回転用の本体ケース２Ａは、リブ２４Ａの数が、前記した右回転用の本体ケース２と異なっており、本体ケースの外観で右回転用と左回転用の何れの本体ケースであるのかが判るようにされている。
また、リブ２４が一体に設けられた本体ケース２を、右回転用と左回転用で別形状としたため、便座や便蓋が一定角度（開位置、閉位置など）における少なくとも１つのリブ２４の位置を右回転用と左回転用で同じ位置に設けることができる。例えば、右回転用と左回転用の何れでも開位置で下方向に位置するリブ２４を設けると、このリブ２４を下向きにすることで閉状態の便座および便蓋にダンパ装置１を容易に取付けることができる。
【００６３】
この本体ケース２Ａでは、キャップ４側から見て、回転中心軸Ｘから内周面２１１（２１１ａ、２１１ｂ）までの距離ｒ３が、径方向内側に突出する突出壁２５から反時計回り方向に離れるにつれて、短くなるように設定されている。すなわち、キャップ４側から見た場合、本体ケース２Ａの内周面２１１（２１１ａ、２１１ｂ）により規定される封止空間Ｓの外径が、突出壁２５から回転中心軸Ｘ周りに反時計回り方向に離れるにつれて、小さくなるように形成されている。
【００６４】
これに対して、前記した本体ケース２の場合、キャップ４側から見た場合の本体部２１の内周面２１１（２１１ａ、２１１ｂ）は、突出壁２５から回転中心軸Ｘ周りに時計回り方向に離れるにつれて、本体ケース２の内周面２２１（２１１ａ、２１１ｂ）により規定される封止空間Ｓの外径が小さくなるように形成されている（図８参照）。
そのため、この本体ケース２Ａを使用したダンパ装置（図９）の場合には、ロータ３が反時計回り方向に回転する際にダンパ効果を発揮されることになる。
【００６５】
ここで、ロータ３の軸部３３では、壁部３４を挟む両側に凹部３９（３９ａ、３９ｂ）が設けられている。そのため、チェックバルブ６を取り付ける向きを逆にしても、ロータ３が、閉位置側では、便座や便蓋で便器の開口部を閉じる角度位置（閉位置：０°）を基準として、さらに反時計周り方向に回転して、閉位置からの回転角度が−１０°まで回転でき、開位置側では、開位置よりもさらに時計回り方向に回転して、閉位置からの回転角度が１２０°になるまで回転できるようになっている。
【００６６】
実施の形態のダンパ装置１の軸部３３では、左回転用の本体ケース２Ａの場合に、ロータ３の角度位置が、腰掛便器に用いられているときの開位置側の回転可能範囲外にあるときに突出壁２５と接することになる範囲に、突出壁２５との接触を避けるための凹部３９ａが設けられている（図８参照）。
【００６７】
よって、ロータ３を本体ケース２Ａに組み付ける場合には、図９に示すように、本体ケース２Ａの突出壁２５とロータ３の凹部３９ａとが、回転中心軸Ｘの軸方向から見て、開位置側で同じ角度位置となるようにして、ロータ３を本体ケース２Ａに組み付けることで、ロータ３を本体ケース２Ａに簡単に組み付けることができる。かかる角度位置が、図６におけるロータ組込位置となる。
そして、この凹部３９ａの位置は、便座や便蓋の回転可能範囲外であるので、軸部３３に凹部３９ａを設けて、突出壁２５の先端２５ａと軸部３３の外周面３３ａとの間に隙間が形成されるようにしても、ダンパ装置１が発揮するダンパ効果に影響が及ぶことがないようにされている。
【００６８】
以上の通り、第１の実施形態では、腰掛便器の便座や便蓋の回転軸（制御部材）に取り付けられて、便座や便蓋の開閉速度を調整するダンパ装置であって、
内部にオイルの封止空間Ｓが形成された本体ケース２と、本体ケース２で回転可能に支持されると共に、一端側の軸部３３を封止空間Ｓ内に配置させたロータ３と、
軸部３３の外周面から本体ケース２の内周面に向けて突出すると共に、ロータ３の回転により、ロータの回転中心軸Ｘ回りの角度位置が変化する壁部３４（ロータ側突出壁）と、
封止空間Ｓ内で本体ケース２の内周面２１１から軸部３３の外周面３３ａに当接する位置まで突出して、ロータ３の回転中心軸回りの周方向の回転可能範囲を規定する突出壁２５（ケース側突出壁）と、を備え、
本体ケース２の本体部２１において、本体ケース２の内周面２１１により規定される封止空間Ｓの外径を、回転中心軸Ｘ周りの周方向における一方側（内周面２１１ａ）と他方側（内周面２１１ｂ側）とで異ならせて、壁部３４の回転中心軸Ｘ周りの角度位置が内周面２１１ｂ側の所定範囲（０°〜６０°）にあるときに、壁部３４が内周面２１１ｂを摺動してロータ３の回転に負荷が与えられるようにし、ロータ３の軸部３３の外周面３３ａに突出壁２５との当接を避ける逃げ部（凹部３９（３９ａ、３９ｂ）を設けると共に、外周面３３ａにおける凹部３９の位置を、ロータ３が壁部３４と本体ケース２の内周面との間に隙間が形成される角度位置にあるときに、本体ケース２の突出壁２５に対向する位置とし、軸部３３の断面形状を、回転中心軸Ｘを通り、隣接する壁部３４の突出方向を二分する直線を挟んで対称（回転中心軸から見て、回転中心軸Ｘ周りの周方向で隣接する壁部３４、３４の角度範囲を二等分する直線を挟んで対称）に形成して、ダンパ装置が右回転用ダンパ装置と左回転用のダンパ装置の何れの場合でも、ロータ３を、壁部３４と本体ケース２の内周面との間に隙間が存在する角度位置で本体ケース２に組み付けたときに、かかる角度位置で、突出壁２５と軸部３３との間に隙間が存在するようにした構成のダンパ装置とした。
【００６９】
このように構成すると、ダンパ効果を発揮させるための部品を別途用意する必要がないので、部品点数の増加によるコストの上昇を防止できる。さらに、部品点数が増加しないので、組付けが複雑になることがない。
さらに、回転中心軸の軸方向から見て、ロータ３の凹部３９と本体ケース２の突出壁２５とが一致する角度位置（ロータ組込位置）で、ロータ３を本体ケース２に組み付けると、かかる角度位置では、少なくとも突出壁２５と軸部３３とが互いに接していないので、ロータを本体ケースに容易に組み付けることができる。
また、回転中心軸回りの周方向で隣り合う壁部３４（ロータ側突出壁）の間の軸部３３の外周面３３ａの断面形状が、回転中心軸Ｘから見て壁部３４と壁部３４が成す角度の二等分線（図３における仮想線Ｌ０）を対称軸として線対称となっている、すなわち、ロータの軸部の断面形状を線対称としたため、右回転用と左回転用の何れのダンパ装置であっても、すなわちダンパ効果が発生する方向がどちらであっても、ロータを共通に使用できる。
【００７０】
実施の形態では、壁部３４が回転中心軸Ｘ周りの周方向で１８０度間隔で設けられている場合を例示したが、壁部３４がひとつのみ設けられているロータの場合には、回転中心軸Ｘを通り壁部３４の周方向における中央部を径方向外側に向けて延びる直線（図３における仮想線Ｌｎ）を対称軸として線対称であることが好ましい。
【００７１】
ロータ３は、本体ケース２の外部で制御部材（便座や便蓋の回動軸）と連結される連結部３１を備え、この連結部３１は軸部３３と一体に構成される構成とした。
【００７２】
従来のダンパ装置のロータでは、ロータを反転させて使用する必要があるために、軸部と連結部とを別体に構成すると共に、例えば軸部の端部に有底筒形状の凹部を設けて、この凹部に、連結部の一端側を軸方向から嵌合させて、ロータを構成していた。
このように、軸部の内部に凹部を設ける場合には、軸部の径が連結部の径よりも必然的に大きくなる（軸部が太くなってしまう）。本発明にかかるダンパ装置１の場合、軸部と連結部とが一体に構成されているので、従来のものに比べて、軸部３３の径を小さくする（軸部を細くする）ことができる。よって、軸部３３が細くなった分だけ、ダンパ装置１のサイズ（外径）も小さくすることができる。
【００７３】
さらに、本体ケース２は底部２２を有する筒状であり、底部２２には、壁部３４（ロータ側突出壁）が初期位置（図６、ロータ組込位置）にあるときに、壁部３４の周方向両側に跨る凹溝２２ａが設けられており、壁部３４を挟んで回転中心軸Ｘ回りの周方向における一方側の空間Ｓ１ａと他方側の空間Ｓ１ｂとが、凹溝２２ａを介して連通するように構成した。
【００７４】
このように構成すると、壁部３４が初期位置側にある場合、封止空間Ｓ内に充填された液体は、壁部３４（ロータ側突出壁）と本体ケース２の内周面２２１との間に設ける隙間と凹溝２２ａを通って、壁部３４を挟んで両側に位置する空間Ｓ１ａ、Ｓ１ｂの間を行き来することができる。そのため、初期位置近傍でのダンパ効果を小さくするために、壁部３４（ロータ側突出壁）と本体ケース２の内周面２２１との間に設ける隙間を広くする必要がない。よって、本体ケース２の厚みを薄くすることなく、初期位置近傍でのダンパ効果を小さくすることができるので、本体ケース２の厚みが薄くなることによる本体ケース２の強度低下が生ずる虞もない。
【００７５】
また、本体ケース２およびロータ３は、樹脂材料から構成される構成としたので、本体ケース２およびロータ３の部品生産が容易になる。
【００７６】
壁部３４は、回転中心軸Ｘの軸方向から見て、回転中心軸Ｘを通る直線Ｌｎ上で、当該直線Ｌｎを挟んで対象となる形状で形成されており、
壁部３４には、回転中心軸Ｘ周りの周方向で壁部３４を挟んで一方側の封止空間Ｓ１ａ、Ｓ２ａと、他方側の封止空間Ｓ１ｂ、Ｓ２ｂとを連通させるオリフィス３５（開口）が設けられており、壁部３４には、壁部３４の前記周方向における一方側の面に当接して開口を塞ぐチェックバルブ６が、前記周方向に移動可能に取り付けられている構成とした。
【００７７】
このように構成すると、壁部３４は、回転中心軸Ｘ周りの周方向における一方側と他方側とで同じ形状であるので、チェックバルブ６を壁部３４に取り付ける向きを変更するだけで、弁体が、回転中心軸周りの周方向における一方側と他方側の何れからオリフィス３５を塞ぐのかを決めることができる。
これにより、チェックバルブ６を壁部３４に取り付ける向きで、ロータ３が回転中心軸Ｘ周りの時計回り方向に回転するときにオリフィス３５が塞がれるようにすることも、反時計回り方向に回転させるときにオリフィス３５が塞がれるようにすることもできる。よって、ロータ３が時計回り方向に回転するときにダンパ効果を発揮するダンパ装置と、反時計回り方向に回転するときにダンパ効果を発揮するダンパ装置の何れにも、共通して利用できるロータおよび弁体となる。
【００７８】
さらに、ロータ３の回転中心軸Ｘ周りの回転可能範囲は、ロータ３に接続される制御部材（腰掛便器の便座や便蓋の回転軸）の回転中心軸Ｘ周りの回転可能範囲よりも広く設定されており、凹部３９は、軸部３３の外周面において、ロータ３の角度位置が制御部材の回転可能範囲外にあるときに突出壁２５に対向する位置に設けられている構成とした。
【００７９】
このように構成すると、突出壁２５と軸部３３の外周面３３ａとの間に隙間が生ずる位置が、制御部材の回転可能範囲外であるので、凹部３９を設けても、制御部材が回転するときにダンパ装置により付与されるダンパ効果が影響されない。
そのため、ダンパ効果により制御部材の回転に必要となるトルクの大きさの設計の自由度が高くなる。
【００８０】
第２の実施形態にかかるダンパ装置を説明する
図１０は、第２の実施形態にかかるダンパ装置の断面図である。
図１１は、ダンパ装置１００におけるロータ３の角度位置と、ロータ３を回転させるのに必要なトルクと、本体ケース２の内周面２１１とロータ３の壁部３４との間の隙間Ａと、ロータ３の軸部３３Ａと本体ケース２の突出壁２５との間の隙間Ｂとの関係を説明する図である。
なお、この図１１において、隙間Ａがゼロよりも小さい範囲では、ロータ３の壁部３４が本体ケース２の内周面２１１に圧入された状態であり、隙間Ｂがゼロよりも小さい範囲では、本体ケース２の突出壁２５がロータ３の軸部３３Ａに圧入された状態であることを示している。
図１２は、ダンパ装置１００の動作説明図である。
【００８１】
図１０に示すように、第２の実施形態にかかるダンパ装置１００では、ロータ３の軸部３３Ａの断面形状が、前記した第１の実施形態のロータ３の軸部３３と異なっている。
【００８２】
軸部３３Ａの外周面には、径方向外側に突出する壁部３４が設けられている。壁部３４は、回転中心軸Ｘ周りの周方向で、１８０°間隔で２つ設けられており、各々回転中心軸Ｘを通る直線Ｌｎに沿って形成されている。
この軸部３３Ａでは、壁部３４と壁部３４との略中間部分における外周面に、本体部２１から径方向内側に突出する突出壁２５との接触を避けるための平面部３３２が設けられている。
平面部３３２は、回転中心軸Ｘを通る直線Ｌｎに対して平行であって、仮想線Ｌ０からの距離が同じ位置にある直線Ｌｎ１、Ｌｎ２に沿って同じ長さＷ２で形成されている。
【００８３】
図１１に示すように、このダンパ装置１００では、便座や便蓋に取り付けたときの回転可能範囲（取付時の回転可能範囲）が０°から１１０°となっており、この回転可能範囲の中間となる角度５５°を挟んで、おおよそ４５°から６５°までの範囲で、本体部２１の突出壁２５と、ロータ３の軸部３３の外周面との間に隙間が形成されるようになっている。
【００８４】
具体的には、ロータ３が、図１２の（ａ）に示す角度位置（開位置θ＝１１０°）から便座や便蓋を開く方向（時計回り方向）に回転すると、便座や便蓋の角度位置が、閉位置（θ＝０°、図１２（ｄ）参照）を基準としておおよそ６５°から４５°となる範囲で、で突出壁２５の先端２５ａと軸部３３Ａの外周との間に平面部３３２に起因する隙間が形成される。
【００８５】
そして、４５°よりも小さくなった後は、隙間がなくなって、突出壁２５の先端２５ａが軸部３３Ａの外周を摺動することになり、かかる範囲において、摺動に起因するダンパ効果が発揮される。
【００８６】
よって、ロータ３を本体ケース２に組み付ける場合には、図１０に示すように、本体ケース２の突出壁２５とロータ３の平面部３３２とが、回転中心軸Ｘの軸方向から見て同じ角度位置となるようにして、ロータ３を本体ケース２に組み付けることで、ロータ３を本体ケース２に簡単に組み付けることができる。
【００８７】
そして、この平面部３３２の位置は、ダンパ効果が必要とされる範囲外であるので、軸部３３に平面部３３２を設けて、突出壁２５の先端２５ａと軸部３３Ａとの間に隙間が形成されるようにしても、ダンパ装置１が発揮するダンパ効果に影響が及ぶことがないようにされている。ここで、図１０の角度位置が、図１１におけるロータ組込位置となる。
【００８８】
以上の通り、第２の実施形態では、腰掛便器の便座や便蓋の回転軸に取り付けられて、便座や便蓋の開閉速度を調整するダンパ装置１００であって、
内部にオイルの封止空間Ｓが形成された本体ケース２と、本体ケース２で回転可能に支持されると共に、一端側の軸部３３Ａを封止空間Ｓ内に配置させたロータ３と、
封止空間Ｓ内で本体ケース２の内周面２１１から軸部３３Ａの外周面３３ａに当接する位置まで突出する突出壁２５と、軸部３３の外周面から径方向外側に延出形成されると共に、ロータ３の回転により、ロータ３の回転中心軸Ｘ周りの角度位置が変化する壁部３４と、を備え、本体ケース２の本体部２１において、本体ケース２の内周面２１１により規定される封止空間Ｓの外径を、回転中心軸Ｘ周りの周方向における一方側（内周面２１１ａ）と他方側（内周面２１１ｂ側）とで異ならせて、壁部３４の回転中心軸Ｘ周りの角度位置が内周面２１１ｂ側の所定範囲にあるときに、壁部３４が内周面２１１ｂを摺動してロータ３の回転に負荷が与えられるようにし、ロータ３の軸部３３の外周面３３ａに突出壁２５との当接を避ける平面部３３２（逃げ部）を設けると共に、外周面３３ａにおける平面部３３２の位置を、ロータ３の角度位置が回転可能範囲の一方側（内周面２１１ａ）から、壁部３４が他方側の内周面２１１ｂを摺動する手前に達するまでに、突出壁２５が対向する範囲内とした構成のダンパ装置とした。
【００８９】
このように構成すると、ダンパ効果を発揮させるための部品を別途用意する必要がないので、部品点数の増加によるコストの上昇を防止できる。さらに、部品点数が増加しないので、組付けが複雑になることがない。
さらに、回転中心軸Ｘの軸方向から見て、ロータ３の平面部３３２と本体ケース２の突出壁２５とが一致する角度位置（ロータ組込位置）で、ロータ３を本体ケース２に組み付けると、かかる角度位置では、少なくとも突出壁２５と軸部３３Ａとが互いに接していないので、ロータ３を本体ケース２に容易に組み付けることができる。
さらに、便座や便蓋の回転軸（制御部材）の回転可能範囲をロータ３の回転可能範囲まで大きくすることができる。
【００９０】
図１３は、変形例にかかるロータ３の軸部３３Ｂの断面形状を説明する図である。
前記した第２の実施形態では、ロータ３の軸部３３Ａの外周面に、突出壁２５との接触を避けるための平面部３３２が設けられている場合を例示した。
しかし、突出壁２５との接触を避けることができる形状であれば、種々の形状が採用可能である。
【００９１】
例えば、図１３の（ａ）、（ｂ）に示すように、平面部３３２（図１０参照）の代わりに湾曲凹部３３３が形成された軸部３３Ｂとしても良い。
この湾曲凹部３３３は、軸部３３Ｂの外周面から回転中心軸Ｘ側に窪むように形成されている。この湾曲凹部３３３の回転中心軸Ｘ周りの周方向の幅（角度範囲θｘ）は、突出壁２５の先端２５ａよりも僅かに広い幅で形成されている。そのため、ロータ３の角度位置が、湾曲凹部３３３と突出壁２５とを対向させる角度位置（ロータ組込位置）（図１３の（ｂ）参照）を外れるとすぐに、軸部３３Ｂの外周面３３ａに突出壁２５が当接するようになっている。
【００９２】
かかる場合、ロータ３の回転可能範囲内（図１１における取付時のロータ回転可能範囲）において、ロータ３の軸部３３Ｂと突出壁２５との間に隙間が形成される角度範囲を、図１０の平面部３３２の場合の角度範囲θｙよりも狭くすることができる。
そうすると、ダンパ効果の発揮において、かかる隙間が影響することをより好適に防止できると共に、ダンパ効果を発揮させる範囲を、図１０の平面部３３２の場合よりもより広く取ることが可能になる。すなわち、ダンパ装置の設計の自由度が向上する。
【００９３】
なお、図１３の（ｃ）に示すように、回転中心軸Ｘ側に平面部３３４ａを有する湾曲凹部３３４としても良い。
かかる場合、ロータ３の角度位置が、湾曲凹部３３３と突出壁２５とを対向させる角度位置（ロータ組込位置）になったときに、ロータ３の軸部３３Ｂと突出壁２５との間に形成される隙間を、より狭くすることができる。
そうすると、ダンパ効果の発揮において、かかる隙間が影響することをいっそう好適に防止できることになる。
【符号の説明】
【００９４】
１      ダンパ装置
２      本体ケース
２Ａ    本体ケース
３      ロータ
４      キャップ
５      ワッシャ
６      チェックバルブ
７      Ｏリング
２１    本体部
２１ａ  外周面
２２    底部
２２ａ  凹溝
２３    軸受部
２４    リブ
２４Ａ  リブ
２５    突出壁
２５ａ  先端
３１    連結部
３１ａ  二面幅部
３１ｂ  被支持部
３２    フランジ部
３２ａ  外周面
３３    軸部
３３Ａ  軸部
３３Ｂ  軸部
３３ａ  外周面
３３１  突出部
３４    壁部
３４ａ  先端
３５    オリフィス
３６    係合部
３６ａ  端部
３７    突部
３８    凹溝
３９    凹部
４１    貫通穴
６１    弁部
６２    腕部
６２ａ  延出部
６３    係止部
１００  ダンパ装置
２１１  内周面
２１１ａ  内周面
２１１ｂ  内周面
２１２  拡径部
３３２  平面部
３３３、３３４  湾曲凹部
３３３ａ  平面部
Ｓ      封止空間
Ｘ      回転中心軸
【図１】
0005657453.tif 000002
【図２】
0005657453.tif 000003
【図３】
0005657453.tif 000004
【図４】
0005657453.tif 000005
【図５】
0005657453.tif 000006
【図６】
0005657453.tif 000007
【図７】
0005657453.tif 000008
【図８】
0005657453.tif 000009
【図９】
0005657453.tif 000010
【図１０】
0005657453.tif 000011
【図１１】
0005657453.tif 000012
【図１２】
0005657453.tif 000013
【図１３】
0005657453.tif 000014